(57)【要約】【課題】作製が簡単であるにも拘わらず高い強度を有する支持台を具えた画像表示装置を提供する。【解決手段】本発明に係る画像表示装置は、画像表示パネルを収容する筐体を支持する支持台３を具えている。支持台３は、筐体の両側を略鉛直方向に延びる一対の第１構成部材31，31と、筐体の上面に沿って略水平方向に延びる第２構成部材32と有し、各第１構成部材31と第２構成部材32とは連結具４により略Ｌ字状に連結されている。連結具４は、連結すべき第１構成部材31及び第２構成部材32の両裏面に当接する当接部材41と、該当接部材41に当接する第１構成部材31を貫通して当接部材41に捻じ込まれる第１ネジ部材42と、該当接部材41に当接する第２構成部材32を貫通して当接部材41に捻じ込まれる第２ネジ部材43とから構成されている。筐体は、一対の第１構成部材31，31及び／又は第２構成部材32に取り付けられる。【選択図】図２
2011075818.tif 000002
【特許請求の範囲】
【請求項１】
画像表示パネルと、該画像表示パネルを収容する筐体と、該筐体を支持する支持台とを具え、前記筐体には、画像表示パネルの画面を外部から視認可能にする画像表示窓が設けられている画像表示装置であって、
前記支持台は、前記筐体の両側を略鉛直方向に延びる一対の第１構成部材と、前記筐体の上面に沿って略水平方向に延びる第２構成部材と有し、各第１構成部材と第２構成部材とは連結具により略Ｌ字状に連結されており、前記連結具は、連結すべき第１構成部材及び第２構成部材の両裏面に当接する当接部材と、該当接部材に当接する第１構成部材を貫通して当接部材に捻じ込まれる第１ネジ部材と、該当接部材に当接する第２構成部材を貫通して当接部材に捻じ込まれる第２ネジ部材とから構成されており、前記筐体は、前記一対の第１構成部材及び／又は第２構成部材に取り付けられている画像表示装置。
【請求項２】
前記一対の第１構成部材及び第２構成部材はそれぞれ、金属板を断面Ｕ字状に成形したものである請求項１に記載の画像表示装置。
【発明の詳細な説明】
【技術分野】
【０００１】
本発明は、画像表示パネルを具えた画像表示装置に関する。
【背景技術】
【０００２】
従来、この種の画像表示装置は、その殆どが屋内に設置することを前提として設計されたものであり（例えば特許文献１参照）、該画像表示装置には、画像表示パネルを風雨やダスト等から保護する対策が施されていなかった。このため、従来の画像表示装置は、屋外に常設することが困難であった。
【０００３】
近年、平面型の画像表示パネルを具えた画像表示装置を屋外に常設することが望まれている。その理由として、該画像表示装置はその厚さ寸法が小さいこと等が挙げられる。厚さ寸法が小さいと、狭い場所への画像表示装置の設置が可能となる。
【先行技術文献】
【特許文献】
【０００４】
【特許文献１】特開２００５−２８６９８７号公報
【発明の概要】
【発明が解決しようとする課題】
【０００５】
上記画像表示装置の屋外への常設を可能にするべく、筐体の内部に、密閉構造を有する収容室を形成し、該収容室に画像表示パネルを収容することが考えられる。又、画像表示装置を地面や床に設置することを可能にするべく、筐体を金属製の支持台によって支持することが考えられる。ここで、金属製の支持台は、該支持台を構成する複数の構成部材を溶接によって連結することにより作製することが出来る。
【０００６】
筐体を支持する支持台においては、該支持台を構成する構成部材どうしの溶接箇所において高い強度が求められる。しかしながら、構成部材どうしの溶接箇所の強度を高めるためには、高い溶接技術が必要となる。又、溶接箇所においては、構成部材の一部が溶解して構成部材の表面が隆起する。支持台の表面を平滑にする必要がある場合、隆起した部分は削り取られるが、これにより、溶接箇所の強度が低下する虞がある。
【０００７】
そこで本発明の目的は、作製が簡単であるにも拘わらず高い強度を有する支持台を具えた画像表示装置を提供することである。
【課題を解決するための手段】
【０００８】
本発明に係る画像表示装置は、画像表示パネルと、該画像表示パネルを収容する筐体と、該筐体を支持する支持台とを具え、前記筐体には、画像表示パネルの画面を外部から視認可能にする画像表示窓が設けられている。ここで、前記支持台は、前記筐体の両側を略鉛直方向に延びる一対の第１構成部材と、前記筐体の上面に沿って略水平方向に延びる第２構成部材と有し、各第１構成部材と第２構成部材とは連結具により略Ｌ字状に連結されている。前記連結具は、連結すべき第１構成部材及び第２構成部材の両裏面に当接する当接部材と、該当接部材に当接する第１構成部材を貫通して当接部材に捻じ込まれる第１ネジ部材と、該当接部材に当接する第２構成部材を貫通して当接部材に捻じ込まれる第２ネジ部材とから構成されている。前記筐体は、前記一対の第１構成部材及び／又は第２構成部材に取り付けられている。
【０００９】
上記画像表示装置においては、支持台を構成する各第１構成部材と第２構成部材とを、連結具により簡単に略Ｌ字状に連結することが出来る。しかも、構成部材どうしの連結が簡単であるにも拘らず、連結箇所において高い強度を得ることが出来る。従って、支持台に筐体を取り付けた場合でも、第１構成部材と第２構成部材との連結は破壊され難い。
【００１０】
上記画像表示装置の具体的構成において、前記一対の第１構成部材及び第２構成部材はそれぞれ、金属板を断面Ｕ字状に成形したものである。
該具体的構成によれば、第１構成部材及び第２構成部材の強度が高くなる。従って、重量の大きな筐体を支持台に取り付けた場合でも、第１構成部材と第２構成部材は変形し難い。
【発明の効果】
【００１１】
本発明に係る画像表示装置によれば、その支持台は、作製が簡単であるにも拘わらず高い強度を有することになる。
【図面の簡単な説明】
【００１２】
【図１】図１は、本発明の一実施形態に係る画像表示装置を前面側から見た斜視図である。
【図２】図２は、上記画像表示装置が具える支持台を示す分解斜視図である。
【図３】図３は、上記画像表示装置が具える連結具の構成を説明する斜視図である。
【図４】図４は、上記支持台の組立て状態を示す斜視図である。
【発明を実施するための形態】
【００１３】
以下、本発明の実施の形態につき、図面に沿って具体的に説明する。
図１に示す様に、本発明の一実施形態に係る画像表示装置は、筐体(１)と、筐体(１)内に配備されている液晶表示パネル(２)と、筐体(１)を支持するキャスタ付き支持台(３)と、冷却装置(４)とを具えている。液晶表示パネル(２)は、画像表示用の光源となる発光ダイオード（ＬＥＤ）を有している。
【００１４】
筐体(１)の内部には、密閉構造を有する収容室(５)が形成されている。収容室(５)を形成する前面壁は、筐体(１)を構成する前面壁(11)により構成されており、該前面壁(11)は、光透過性を有する材質、例えばガラス材から形成されている。一方、収容室(５)を形成する上面壁、下面壁、両側面壁及び背面壁は、アルミニウム等の金属から形成されている。
【００１５】
収容室(５)には液晶表示パネル(２)が収容されており、該液晶表示パネル(２)の画面は、収容室(５)を形成する前面壁、即ち筐体(１)の前面壁(11)に向けられている。斯くして、筐体(１)の前面壁(11)の内、液晶表示パネル(２)の画面と対向する部分により画像表示窓(10)が構成され、該画像表示窓(10)を通じて、液晶表示パネル(２)の画面を筐体(１)の外部から視認することが可能になっている。
【００１６】
図示していないが、収容室(５)内の空気は、送風ファンの送風動作により液晶表示パネル(２)の周囲を循環している。又、冷却装置(４)は、収容室(５)内の熱を回収する蒸発器と、該蒸発器により回収された熱を収容室(５)の外部に排出する凝縮器と、蒸発器から凝縮器へ流れる冷媒を圧縮する圧縮機を具えている。従って、収容室(５)内を循環する空気は冷却装置(４)によって冷却されることになる。
【００１７】
上記画像表示装置においては、密閉構造を有する収容室(５)に液晶表示パネル(２)が収容されているので、画像表示装置が屋外に設置された場合でも、液晶表示パネル(２)は風雨やダスト等から保護されることになる。
【００１８】
一方、収容室(５)内には液晶表示パネル(２)から生じる熱が溜まり易く、収容室(５)内の温度は上昇し易くなっている。ここで、収容室(５)内の空気は冷却装置(４)により冷却される。よって、収容室(５)内の温度上昇が抑制され、その結果、液晶表示パネル(２)の温度上昇が抑制されて、液晶表示パネル(２)の機能は正常な状態に維持されることになる。
【００１９】
図１に示す様に、支持台(３)は、筐体(１)の両側を略鉛直方向に延びる左右一対の第１構成部材(31)(31)と、筐体(１)の上面に沿って略水平方向に延びる第２構成部材(32)と有している。ここで、一対の第１構成部材(31)(31)及び第２構成部材(32)はそれぞれ、アルミニウム製の金属板を、図２に示す様に断面Ｕ字状に成形したものである。そして、筐体(１)は、一対の第１構成部材(31)(31)及び／又は第２構成部材(32)に取り付けられている。
【００２０】
各第１構成部材(31)と第２構成部材(32)とは、図４に示す様に略Ｌ字状に連結されている。具体的には図２に示す様に、各第１構成部材(31)と第２構成部材(32)とは、それらの底面壁(310)(320)の外面(311)(321)を外側に向けた姿勢で、連結具(４)により略Ｌ字状に連結される。
【００２１】
連結具(４)は、４つの側面を有する略四角柱状の当接部材(41)と、第１構成部材(31)を当接部材(41)に固定するための一対の第１ネジ部材(42)(42)と、第２構成部材(32)を当接部材(41)に固定するための一対の第２ネジ部材(43)(43)とから構成されている。
【００２２】
当接部材(41)の４つの側面の内、直交する２つの側面(411)(412)にはそれぞれ、連結すべき第１構成部材(31)と第２構成部材(32)とが当接する。具体的には、当接部材(41)の一方の側面(411)には、第１構成部材(31)の底面壁(310)の内面(312)が当接し、当接部材(41)の他方の側面(412)には、第２構成部材(32)の底面壁(320)の内面(322)が当接する。
【００２３】
一対の第１ネジ部材(42)(42)は、当接部材(41)に当接する第１構成部材(31)を貫通して当接部材(41)に捻じ込まれる。これにより、図３に示す様に、第１構成部材(31)は当接部材(41)に固定されることになる。
一方、一対の第２ネジ部材(43)(43)は、当接部材(41)に当接する第２構成部材(32)を貫通して当接部材(41)に捻じ込まれる。これにより、図４に示す様に、第２構成部材(32)は当接部材(41)に固定されることになる。斯くして、第１構成部材(31)と第２構成部材(32)とが連結具(４)により略Ｌ字状に連結されることになる。
【００２４】
上記支持台(３)においては、該支持台(３)を構成する各第１構成部材(31)と第２構成部材(32)とを、連結具(４)により簡単に略Ｌ字状に連結することが出来る。よって、支持台(３)の作製が簡単である。しかも、構成部材(31)(32)どうしの連結が簡単であるにも拘らず、連結箇所において高い強度を得ることが出来る。従って、支持台(３)に筐体(１)を取り付けた場合でも、第１構成部材(31)と第２構成部材(32)との連結は破壊され難い。よって、支持台(３)は高い強度を有することになる。
【００２５】
又、上記支持台(３)においては、一対の第１構成部材(31)(31)及び第２構成部材(32)は何れも、断面形状がＵ字状である。従って、一対の第１構成部材(31)(31)及び第２構成部材(32)の強度は高くなっている。従って、重量の大きな筐体(１)を支持台(３)に取り付けた場合でも、第１構成部材(31)と第２構成部材(32)は変形し難い。
【００２６】
尚、本発明の各部構成は上記実施の形態に限らず、特許請求の範囲に記載の技術的範囲内で種々の変形が可能である。例えば、連結具(４)を構成する第１ネジ部材(42)の数は、２つに限らず、１つ或いは３つ以上であってもよい。連結具(４)を構成する第２ネジ部材(43)の数についても同様である。
【００２７】
支持台(３)を構成する第１構成部材(31)及び第２構成部材(32)の材質には、アルミニウムに限らず、種々の金属材料を用いることが出来る。更に、構成部材(31)(32)の材質には、金属材料以外の種々の材料を用いることが可能である。
又、支持台(３)を構成する第１構成部材(31)及び第２構成部材(32)には、金属板を断面Ｕ字状に成形したものに限らず、種々の断面形状を有するものを採用することが出来る。
【００２８】
上記画像表示装置に採用した各種構成は、液晶表示パネル(２)を具えた画像表示装置に限らず、プラズマ表示パネルや有機ＥＬ（Electro-Luminescence）表示パネル等、種々の画像表示パネルを具えた画像表示装置に適用することが出来る。
【符号の説明】
【００２９】
(１)  筐体
(10)  画像表示窓
(２)  液晶表示パネル（画像表示パネル）
(３)  支持台
(31)  第１構成部材
(32)  第２構成部材
(４)  連結具
(41)  当接部材
(42)  第１ネジ部材
(43)  第２ネジ部材
【図１】
2011075818.tif 000003
【図２】
2011075818.tif 000004
【図３】
2011075818.tif 000005
【図４】
2011075818.tif 000006